(57)【要約】本発明は記録された多重再生経路ビデオデータの再生を管理するためのデータ構造を有する記録媒体、前記データ構造の記録及び再生方法及び装置に関する。前記記録媒体は記録媒体に記録される少なくとも多重再生経路ビデオデータの再生を管理するためのデータ構造を有する。前記記録媒体のデータ領域にはビデオデータの少なくとも一つ以上の再生経路が記録されている。各再生経路は少なくとも一つ以上のファイルで記録されて、一つの再生経路と連係される各ファイルは他の再生経路と連係される各ファイルと区別されて、各ファイルの一部は他のファイルの一部とインターリーブされない。
2006506764.tif 000002
【特許請求の範囲】
【請求項１】
記録媒体に記録される少なくとも多重再生経路ビデオデータの再生を管理するためのデータ構造を有する記録媒体において、
記録されるビデオデータの少なくとも一つ以上の再生経路を有するデータ領域を含んで構成されて、ここで
各再生経路は少なくとも一つ以上のファイルで記録されて、一つの再生経路と連係される各ファイルは他の再生経路と連係される各ファイルと区別されて各ファイルの一部は他のファイルの一部とインターリーブされないし、各ファイルは複数のジャンピングユニットに区分されることを特徴とする記録媒体。
【請求項２】
請求項１において、
前記区別されるファイルそれぞれはクリップファイルであることを特徴とする記録媒体。
【請求項３】
請求項２において、
各再生経路と連係される少なくとも一つ以上のエントリーポイントマップが保存される一つまたはそれ以上の管理領域をさらに含んで構成されて、ここで
各エントリーポイントマップは連係する再生経路に対するビデオデータ内のエントリーポイントを識別することを特徴とする記録媒体。
【請求項４】
請求項３において、
各ジャンピングユニットは前記エントリーポイントマップに連続される両エントリーポイント間のデータで定義されることを特徴とする記録媒体。
【請求項５】
請求項４において、
前記エントリーポイントマップには各エントリーポイントと連係されるフラッグが含まれて、前記フラッグはエントリーポイントと関連して再生経路で経路変更が許されるのか否かを識別することを特徴とする記録媒体。
【請求項６】
請求項５において、
クリップファイルのエントリーポイントに対するフラッグは再生経路で経路変更が許されることを指し示すように設定されることを特徴とする記録媒体。
【請求項７】
請求項１において、
各再生経路と連係される少なくとも一つ以上のエントリーポイントマップが保存される一つまたはそれ以上の管理領域をさらに含んで構成されて、ここで
各エントリーポイントマップは連係する再生経路に対するビデオデータ内のエントリーポイントを識別することを特徴とする記録媒体。
【請求項８】
請求項７において、
各ジャンピングユニットは前記エントリーポイントマップに連続される両エントリーポイント間のデータで定義されることを特徴とする記録媒体。
【請求項９】
請求項８において、
前記エントリーポイントマップには各エントリーポイントと連係されるフラッグが含まれて、前記フラッグはエントリーポイントと関連して再生経路で経路変更が許されるのか否かを識別することを特徴とする記録媒体。
【請求項１０】
請求項９において、
クリップファイルのエントリーポイントに対するフラッグは再生経路で経路変更が許されることを指し示すように設定されることを特徴とする記録媒体。
【請求項１１】
請求項１において、
各ジャンピングユニットには少なくともビデオデータの一つのエントリーポイントが含まれることを特徴とする記録媒体。
【請求項１２】
請求項１において、
エントリーポイント間の境界は再生経路間の経路変更がどこで許されるかを定めることを特徴とする記録媒体。
【請求項１３】
請求項１において、
ビデオデータの再生経路はビデオデータの他のカメラ角度であることを特徴とする記録媒体。
【請求項１４】
請求項１において、
各ビデオデータユニットはＩ−ｐｉｃｔｕｒｅでスタートすることを特徴とする記録媒体。
【請求項１５】
請求項１４において、
各ビデオデータユニットはＣｌｏｓｅｄ  ＧＯＰでスタートすることを特徴とする記録媒体。
【請求項１６】
記録媒体に記録される少なくとも多重再生経路ビデオデータの再生を管理するためのデータ構造を有する記録媒体において、
各再生経路と連係される少なくとも一つ以上のエントリーポイントマップが保存される一つまたはそれ以上の管理領域を含んで構成されて、ここで
各エントリーポイントマップは少なくともビデオデータを含むクリップファイル内のエントリーポイントを識別して、各クリップファイルは多重再生経路のうちいずれか一つと連係されて、各エントリーポイントは連係する再生経路内の経路変更地点を指し示すことを特徴とする記録媒体。
【請求項１７】
請求項１６において、
前記エントリーポイントマップには各エントリーポイントと連係されるフラッグが含まれて、前記フラッグはエントリーポイントと関連して再生経路で経路変更が許されるのか否かを識別して、クリップファイルのエントリーポイントに対するフラッグは再生経路で経路変更が許されることを指し示すように設定されることを特徴とする記録媒体。
【請求項１８】
請求項１６において、
各再生経路と連係される少なくとも一つ以上のクリップファイルが保存されるデータ領域をさらに含んで構成されて、ここで
各クリップファイルの一部は他のクリップファイルの一部とインターリーブされないことを特徴とする記録媒体。
【請求項１９】
少なくとも多重再生経路ビデオデータの再生を管理するためのデータ構造を記録媒体に記録する方法において、
ビデオデータの少なくとも一つ以上の再生経路を前記記録媒体のデータ領域に記録することで構成されて、ここで
各再生経路は少なくとも一つ以上のファイルで記録されて、一つの再生経路と連係される各ファイルは他の再生経路と連係される各ファイルと区別されて各ファイルの一部は他のファイルの一部とインターリーブされないし、各ファイルは複数のジャンピングユニットに区分されることで構成される方法。
【請求項２０】
記録媒体に記録された少なくとも多重再生経路ビデオデータの再生を管理するためのデータ構造を再生する方法において、
ビデオデータの少なくとも一つ以上の再生経路を前記記録媒体のデータ領域から再生することで構成されて、ここで
各再生経路は少なくとも一つ以上のファイルで記録されて、一つの再生経路と連係される各ファイルは他の再生経路と連係される各ファイルと区別されて各ファイルの一部は他のファイルの一部とインターリーブされないし、各ファイルは複数のジャンピングユニットに区分されることで構成される方法。
【請求項２１】
少なくとも多重再生経路ビデオデータの再生を管理するためのデータ構造を記録媒体に記録する装置において、
前記記録媒体にデータを記録する光記録手段を駆動する駆動器と；
少なくとも多重再生経路ビデオデータをエンコーディングするためのエンコーダー；及び
ビデオデータの少なくとも一つ以上の再生経路を前記記録媒体のデータ領域に記録するように前記駆動器を制御する制御器を含んで構成されて、ここで
各再生経路は少なくとも一つ以上のファイルで記録されて、一つの再生経路と連係される各ファイルは他の再生経路と連係される各ファイルと区別されて各ファイルの一部は他のファイルの一部とインターリーブされないし、各ファイルは複数のジャンピングユニットに区分されることを特徴とする装置。
【請求項２２】
記録媒体に記録された少なくとも多重再生経路ビデオデータの再生を管理するためのデータ構造を再生する装置において、
記録媒体に記録されたデータを再生する光再生手段を駆動する駆動器；及び
ビデオデータの少なくとも一つ以上の再生経路を前記記録媒体のデータ領域から再生するように前記駆動器を制御する制御器を含んで構成されて、ここで
各再生経路は少なくとも一つ以上のファイルで記録されて、一つの再生経路と連係される各ファイルは他の再生経路と連係される各ファイルと区別されて各ファイルの一部は他のファイルの一部とインターリーブされないし、各ファイルは複数のジャンピングユニットに区分されることを特徴とする装置。
【発明の詳細な説明】
【技術分野】
【０００１】
本発明は記録された多重再生経路ビデオデータの再生を管理するためのデータ構造を有する記録媒体、この多重再生経路ビデオデータを再生して記録するための装置及び方法に関する。
【背景技術】
【０００２】
最近、高画質のビデオデータと高音質のオーディオデータを高容量記録できる新しい高密度再生専用または再記録可能光ディスクに対する規格化作業が急速に展開してきており、再記録可能ブルーレイディスク（ＢＤ−ＲＥ：Ｂｌｕ−ｒａｙ  Ｄｉｓｃ  Ｒｅｗｒｉｔａｂｌｅ）のような新しい光ディスクと関連した製品が、まもなく商用化されることを期待されている。
【０００３】
図１は、再記録可能ブルーレイディスク（ＢＤ−ＲＥ）のファイル構造を示したものである。ファイル構造またはデータ構造はこのＢＤ−ＲＥに記録されるビデオオーディオデータの再生を管理するために提供される。図１に示すように、データ構造は少なくとも一つ以上の‘ＢＤＡＶ’ディレクトリ（Ｄｉｒｅｃｔｏｒｙ）を有するルートディレクトリを含む。この‘ＢＤＡＶ’ディレクトリには‘ｉｎｆｏ．ｂｄａｖ’、‘ｍｅｎｕ．ｔｉｄｘ’、‘ｍａｒｋ．ｔｉｄｘ’、‘＊．ｒｐｌｓ’、及び‘＊．ｖｐｌｓ’のようなプレーリストファイルが格納されるＰＬＡＹＬＩＳＴサブディレクトリ（ｓｕｂｄｉｒｅｃｔｏｒｙ）、‘＊．ｃｌｐｉ’のようなクリップ情報ファイルが格納されるＣＬＩＰＩＮＦサブディレクトリ、そしてこのクリップ情報ファイルに対応するＭＰＥＧ−２フォーマットのＡ／Ｖストリームクリップファイルを格納するＳＴＲＥＡＭサブディレクトリが含まれる。図１は、このディスクのデータ構造だけでなくディスクの領域を示している。例えば、‘ｉｎｆｏ．ｂｄａｖ’のような一般情報ファイルはこのディスクの一般情報領域に格納される。
【０００４】
図１に図示したＢＤ−ＲＥのデータ構造とディスクフォーマットは広く知られており、容易に利用できるので以後ファイル構造に対しては簡単に説明する。
【０００５】
前述したように、ＳＴＲＥＡＭディレクトリにはクリップ（Ｃｌｉｐ）またはクリップファイルと呼ばれるＭＰＥＧ−２フォーマットのＡ／Ｖストリームファイルが含まれて、またブリッジ−クリップＡ／Ｖストリームファイル（Ｂｒｉｄｇｅ−ｃｌｉｐ  Ａ／Ｖ  ｓｔｒｅａｍ  ｆｉｌｅ）という特別な形態のクリップも含むことができる。ブリッジ−クリップはクリップのうちから選択された二つ以上の再生区間を滑らかに連結するために使われ、このクリップに比べて大きさが、一般には小さい。このＡ／Ｖストリームにはビデオオーディオデータに対するソースパケット（Ｓｏｕｒｃｅ  Ｐａｃｋｅｔｓ）が含まれる。例えば、このビデオオーディオデータに対するソースパケットにはヘッダー（Ｈｅａｄｅｒ）と伝送パケット（Ｔｒａｎｓｐｏｒｔ  Ｐａｃｋｅｔ）が含まれる。一つのソースパケットには自身に接近するための住所役割をするソースパケット番号（ＳＰＮｓ：Ｓｏｕｒｃｅ  Ｐａｃｋｅｔ  Ｎｕｍｂｅｒｓ）が含まれるが、このソースパケット番号は一般に次々と番号が割り当てられる。伝送パケットには一つのパケットＩＤ（ＰＩＤ：Ｐａｃｋｅｔ  Ｉｄｅｎｔｉｆｉｅｒ）が含まれるが、このＰＩＤは伝送パケットが属する一連の伝送パケット（Ｓｅｑｕｅｎｃｅ  ｏｆ  Ｔｒａｎｓｐｏｒｔ  Ｐａｃｋｅｔｓ）を識別して、この一連の伝送パケットにある各伝送パケットはＰＩＤが同じである。以後、この一連の伝送パケットを伝送パケットシーケンスという。
【０００６】
このＣＬＩＰＩＮＦディレクトリには各Ａ／Ｖストリームファイルに連係するクリップ情報ファイルが含まれる。このクリップ情報ファイルは連係するＡ／Ｖストリームの類型、シーケンス情報（Ｓｅｑｕｅｎｃｅ  Ｉｎｆｏｒｍａｔｉｏｎ）、プログラム情報、そしてタイミング情報を指す。このシーケンス情報は到着時間基準（Ａｒｒｉｖａｌ  Ｔｉｍｅ  Ｂａｓｉｓ、ＡＴＣ）シーケンスとシステム時間基準（Ｓｙｓｔｅｍ  Ｔｉｍｅ  Ｂａｓｉｓ、ＳＴＣ）シーケンスを記述する。例えば、このシーケンス情報はシーケンスの数、各シーケンスの開始と終わり時間情報、各シーケンスで一番目ソースパケットの住所、そして各シーケンスにある伝送パケットのＰＩＤを指す。プログラムのコンテンツが続く伝送パケットシーケンスはプログラムシーケンスと呼ばれる。このプログラム情報はプログラムシーケンスの個数、各プログラムシーケンスの開始住所、そしてプログラムシーケンスにある伝送パケットのＰＩＤを指す。
【０００７】
タイミング情報は特徴ポイント情報（ＣＰＩ：Ｃｈａｒａｃｔｅｒｉｓｔｉｃ  Ｐｏｉｎｔ  Ｉｎｆｏｒｍａｔｉｏｎ）と呼ばれる。このＣＰＩの一形態がエントリーポイントマップ（Ｅｎｔｒｙ  Ｐｏｉｎｔ（ＥＰ）Ｍａｐ）である。このＥＰマップは、例えば、到着時間ＡＴＣ及び／またはシステム時間ＳＴＣを基準にして、ソースパケットの住所（例えば、ソースパケットの番号）に対するタイムスタンプ（Ｔｉｍｅ  Ｓｔａｍｐ）を表示する。このプレゼンテーションタイムスタンプ（ＰＴＳ）とソースパケット番号（ＳＰＮ）はＡ／ＶストリームのＥＰと関連される。すなわち、このＰＴＳと関連されたＳＰＮはＡ／Ｖストリーム上のＥＰを指し示す。この指し示されるパケットはたびたびエントリーポイントパケットと呼ばれる。
【０００８】
ＰＬＡＹＬＩＳＴディレクトリには一つ以上のプレーリストファイルがある。プレーリストは再生のためのクリップを容易に編集したり組み合わせたりするために導入された概念である。プレーリストファイルはクリップにある再生区間（Ｐｌａｙｉｎｇ  Ｉｎｔｅｒｖａｌｓ）の集合であって、各再生区間はプレーアイテム（Ｐｌａｙｉｔｅｍ）と呼ばれる。このプレーリストファイルはプレーリストを形成する各プレーアイテムを識別して、各プレーアイテムは、クリップの時間軸上の位置（例えば、ＡＴＣまたはＳＴＣ基準でプレゼンテーションタイムスタンプ（ＰＴＳｓ：Ｐｒｅｓｅｎｔａｔｉｏｎ  Ｔｉｍｅ  Ｓｔａｍｐ））を指すＩＮ−ｐｏｉｎｔとＯＵＴ−ｐｏｉｎｔの対である。換言すれば、プレーリストファイルはプレーアイテムを識別して、各プレーアイテムは一つのクリップまたはその一部を指してクリップと連係するクリップ情報ファイルを識別する。このクリップ情報ファイルはこのプレーアイテムをソースパケットのクリップに連結（Ｍａｐ）するために使われる。
【０００９】
ＰＬＡＹＬＩＳＴディレクトリには実際プレーリスト（Ｒｅａｌ  Ｐｌａｙｌｉｓｔ）（＊．ｒｐｌｓ）と仮想プレーリスト（Ｖｉｒｔｕａｌ  Ｐｌａｙｌｉｓｔ）（＊．ｖｐｌｓ）が含まれることができる。実際プレーリストはクリップだけを用いてブリッジ−クリップは用いることができない。すなわち、実際プレーリストはクリップの一部を参照することと見なされるので、概念的にディスク上でクリップの一部を参照することと同等なことに見なされる。仮想プレーリストはクリップとブリッジ−クリップをすべて用いることができるので、実際プレーリストの概念は仮想プレーリストと並存しない。
【００１０】
‘ｉｎｆｏ．ｂｄａｖ’ファイルは光ディスクに記録されるＡ／Ｖストリームの再生を管理する一般的な情報を提供する一般情報ファイルであって、さらに詳細には同じＢＤＡＶディレクトリのＰＬＡＹＬＩＳＴディレクトリにあるプレーリストのファイル名を識別するプレーリスト目録を含む。
【００１１】
‘ｍｅｎｕ．ｔｉｄｘ’、‘ｍｅｎｕ．ｔｄｔ１’、及び‘ｍｅｎｕ．ｔｄｔ２’ファイルはメニューｔｈｕｍｂｎａｉｌｓと関連した情報を格納する。‘ｍａｒｋ．ｔｉｄｘ’、‘ｍａｒｋ．ｔｄｔ１’、及び‘ｍａｒｋ．ｔｄｔ２’ファイルはマークｔｈｕｍｂｎａｉｌｓと関連した情報を格納する。このようなファイルは本発明と直接的な関連がないので、これ以上詳細な説明は省略する。
【発明の開示】
【発明が解決しようとする課題】
【００１２】
最近ではブルーレイＲＯＭ（ＢＤ−ＲＯＭ：Ｂｌｕ−ｒａｙ  ＲＯＭ）のような高密度再生専用光ディスクに対する規格化作業が進行中にある。しかし、ＢＤ−ＲＯＭのような高密度再生専用光ディスクに記録されるビデオオーディオデータの再生を管理するデータ構造に対する効率的な解決方案がまだ用意されていない。
【００１３】
したがって、本発明は上記のような実情を勘案して創作されたものであって、本発明による記録媒体にはこの記録媒体に記録された少なくとも多重再生経路ビデオデータ（例えば、他のカメラアングルのビデオデータ）の再生を管理するデータ構造が含まれる。
【課題を解決するための手段】
【００１４】
本発明の一実施形態では、記録媒体には記録されるビデオデータの少なくとも一つ以上の再生経路を有するデータ領域がある。各再生経路は少なくとも一つ以上のファイルで記録されて、一つの再生経路と連係される各ファイルは他の再生経路と連係される各ファイルと区別されて各ファイルの一部は他のファイルの一部とインターリーブされない。また、各ファイルは複数のジャンピングユニットに区分される。
【００１５】
本発明の一実施形態では、区分されたファイルそれぞれはクリップファイルである。他の例で、ジャンピングユニットそれぞれには一つのエントリーポイントが含まれるが、エントリーポイント間の境界は再生経路間の経路変更がどこで許されるかを定める。
【００１６】
本発明の他の実施形態では、記録媒体の一つまたはそれ以上の管理領域には各再生経路と連係される少なくとも一つ以上のエントリーポイントマップが保存されて、各エントリーポイントマップは連係する再生経路に対するビデオデータ内のエントリーポイントを識別する。ここで、各ジャンピングユニットはこのエントリーポイントマップに連続される両エントリーポイント間のデータで定義される。
【００１７】
本発明のさらに他の実施形態では、記録媒体には各再生経路と連係される少なくとも一つ以上のエントリーポイントマップが保存される一つまたはそれ以上の管理領域が含まれる。各エントリーポイントマップは少なくともビデオデータを含むクリップファイル内のエントリーポイントを識別する。各クリップファイルは多重再生経路のうちいずれか一つと連係されて、各エントリーポイントは連係する再生経路内の経路変更地点を指し示す。
【００１８】
また、本発明によるデータ構造を記録して再生するための装置と方法が提示される。
【発明を実施するための最良の形態】
【００１９】
以下、本発明に対する望ましい実施形態について、添付した図面を参照しながら詳細に説明する。
【００２０】
本発明による高密度光ディスク、例えばＢＤ−ＲＯＭ、ＢＤ−ＲＥ等は、図２に示したように、ビデオオーディオデータの再生を管理するファイルまたはデータ構造を有する。図２のような本発明によるデータ構造はいろいろな面で図１に図示したＢＤ−ＲＥのデータ構造と同様である。したがって、同様の部分は詳細な説明を省略する。
【００２１】
図２に示すように、ルートディレクトリには少なくとも一つ以上のＤＶＰディレクトリがある。このＤＶＰディレクトリには一般情報ファイル（ｉｎｆｏ．ｄｖｐ）、メニューファイル（ｍｅｎｕ．ｔｉｄｘ、ｍｅｎｕ．ｔｄｔ１等）、実際プレーリストファイル（＊．ｒｐｌｓ）と仮想プレーリストファイル（＊．ｖｐｌｓ）が格納されるＰＬＡＹＬＩＳＴディレクトリ、クリップ情報ファイル（＊．ｃｌｐｉ）が格納されるＣＬＩＰＩＮＦディレクトリ、そしてクリップ情報ファイルに対応するＭＰＥＧ−２フォーマットのＡ／Ｖストリームクリップファイル（＊．ｍ２ｔｓ）が格納されるＳＴＲＥＡＭディレクトリが含まれる。
【００２２】
このＳＴＲＥＡＭディレクトリにはクリップまたはクリップファイルと呼ばれるＭＰＥＧ−２フォーマットのＡ／Ｖストリームクリップファイルが含まれる。このＡ／Ｖストリームにはビデオオーディオデータに対するソースパケットが含まれる。例えば、このビデオオーディオデータに対するソースパケットにはヘッダーと伝送パケットが含まれる。一つのソースパケットには自身に接近するための住所の役割をするソースパケット番号ＳＰＮが含まれるが、このソースパケット番号は一般に次々と番号が割り当てられる。伝送パケットには一つのパケットＩＤ  ＰＩＤが含まれるが、このＰＩＤは伝送パケットが属する伝送パケットシーケンスを識別して、この伝送パケットシーケンスにある各伝送パケットはＰＩＤが同じである。
【００２３】
このＣＬＩＰＩＮＦディレクトリには各Ａ／Ｖストリームファイルに連係するクリップ情報ファイルが含まれる。このクリップ情報ファイルは連係するＡ／Ｖストリームの類型、シーケンス情報、プログラム情報、そしてタイミング情報を指す。このシーケンス情報は到着時間基準ＡＴＣシーケンスとシステム時間基準ＳＴＣシーケンスを記述する。例えば、このシーケンス情報はシーケンスの数、各シーケンスの開始と終わり時間情報、各シーケンスで一番目ソースパケットの住所、そして各シーケンスにある伝送パケットのＰＩＤを指す。プログラムのコンテンツが続く伝送パケットシーケンスはプログラムシーケンスと呼ばれる。このプログラム情報はプログラムシーケンスの個数、各プログラムシーケンスの開始住所、そしてプログラムシーケンスにある伝送パケットのＰＩＤを指す。
【００２４】
タイミング情報は特徴ポイント情報（ＣＰＩ）と呼ばれる。このＣＰＩの一形態がＥＰマップである。このＥＰマップは、例えば、到着時間ＡＴＣ及び／またはシステム時間ＳＴＣを基準にして、ソースパケットの住所（例えば、ソースパケットの番号）に対するタイムスタンプを表示する。
【００２５】
このプレゼンテーションタイムスタンプ（ＰＴＳ）とソースパケット番号（ＳＰＮ）はＡ／ＶストリームのＥＰと関連される。すなわち、このＰＴＳと関連されたＳＰＮはＡ／Ｖストリーム上のＥＰを指し示す。この指し示されるパケットはたびたびエントリーポイントパケットと呼ばれる。
【００２６】
ＰＬＡＹＬＩＳＴディレクトリには一つ以上のプレーリストファイルがある。プレーリストは再生のためのクリップを容易に編集したり組み合わせたりするために導入された概念である。プレーリストファイルはクリップにある再生区間（Ｐｌａｙｉｎｇ  Ｉｎｔｅｒｖａｌｓ）の集合であって、各再生区間はプレーアイテム（Ｐｌａｙｉｔｅｍ）と呼ばれる。このプレーリストファイルはプレーリストを形成する各プレーアイテムを識別して、各プレーアイテムはクリップの時間軸上の位置（例えば、ＡＴＣまたはＳＴＣ基準でプレゼンテーションタイムスタンプ）を指すＩＮ−ｐｏｉｎｔとＯＵＴ−ｐｏｉｎｔの対である。換言すれば、プレーリストファイルはプレーアイテムを識別して、各プレーアイテムは一つのクリップまたはその一部を指してクリップと連係するクリップ情報ファイルを識別する。このクリップ情報ファイルはこのプレーアイテムをソースパケットのクリップに連結するために使われる。
【００２７】
ＰＬＡＹＬＩＳＴディレクトリには実際プレーリスト（Ｒｅａｌ  Ｐｌａｙｌｉｓｔ）（＊．ｒｐｌｓ）と仮想プレーリスト（Ｖｉｒｔｕａｌ  Ｐｌａｙｌｉｓｔ）（＊．ｖｐｌｓ）が含むことができる。実際、プレーリストはクリップだけを用いてブリッジ−クリップは用いることができない。すなわち、実際プレーリストはクリップの一部を参照していると見なされるので、概念的にディスク上でクリップの一部を参照することと同等であると見なされる。仮想プレーリストはクリップとブリッジ−クリップをすべて用いることができるので、実際プレーリストの概念は仮想プレーリストと並存しない。
【００２８】
‘ｉｎｆｏ．ｄｖｐ’ファイルは光ディスクに記録されるＡ／Ｖストリームの再生を管理する一般的な情報を提供する一般情報ファイルであって、さらに詳細にはＰＬＡＹＬＩＳＴディレクトリにあるプレーリストのファイル名を識別するプレーリスト目録を含む。この‘ｉｎｆｏ．ｄｖｐ’ファイルに対しては本発明の実施形態と関連して次にさらに詳細に説明する。
【００２９】
図２では、本発明の実施形態によって記録媒体のデータ構造を図示するだけでなく、記録媒体の領域を見ることができる。例えば、一般情報ファイルは一つ以上の一般情報領域に記録され、プレーリストディレクトリは一つ以上のプレーリストディレクトリ領域に記録され、およびプレーリストディレクトリ内の各プレーリストはこの記録媒体の一つ以上のプレーリスト領域に記録される。図２のデータ構造を有する記録媒体に対して例示している図３に示すように、この記録媒体にはファイルシステム情報領域、データベース（Ｄａｔａｂａｓｅ）領域、そしてＡ／Ｖストリーム領域が含まれる。このデータベース領域には一般情報ファイルとプレーリスト情報が記録される領域とクリップ情報領域が含まれる。この一般情報ファイルとプレーリスト情報が記録される領域には、一般情報ファイル領域の一般情報ファイルと、プレーリスト情報領域のＰＬＡＹＬＩＳＴディレクトリとプレーリストファイルが記録される。このクリップ情報領域には、ＣＬＩＰＩＮＦディレクトリと、関連クリップ情報ファイルが記録される。このＡ／Ｖストリーム領域には多様なタイトルのＡ／Ｖストリームが記録される。
【００３０】
ビデオオーディオデータは一般に個別タイトルで編成されている。例えば、ビデオオーディオデータにより表現される他の映画は他のタイトルで編成される。また、タイトルは、本がチャプター（Ｃｈａｐｔｅｒｓ）で編成されるようにいろいろなチャプターで編成できる。
【００３１】
ＢＤ−ＲＯＭ、ＢＤ−ＲＥ等のような新しい高密度記録媒体の格納容量が非常に大きいため、他のタイトル、いろいろなバージョンのタイトルがまたは一タイトルの一部が格納されて再生できる。例えば、他のカメラ角度のビデオデータが記録媒体に記録されたり、他の実施形態で、タイトルに対するいろいろなバージョンまたは他の言語と関連した一部もこの記録媒体に記録したりすることができ、また他の実施形態では、タイトルに対する監督バージョン（Ｄｉｒｅｃｔｏｒ’ｓ  Ｖｅｒｓｉｏｎ）または映画館用バージョンもこの記録媒体に記録することができる。または、一タイトルの完全成人バージョン、準成人バージョン、そして父母が制限できる青少年バージョンなどがこの記録媒体に記録することができる。各バージョン、各カメラアングル等は他の再生経路を有しており、このような場合のビデオデータは多重再生経路ビデオデータ（Ｍｕｌｔｉｐｌｅ  Ｒｅｐｒｏｄｕｃｔｉｏｎ  Ｐａｔｈ  Ｖｉｄｅｏ  Ｄａｔａ）と呼ばれる。多重経路ビデオデータに対するこの例に限られず、本発明は多重再生経路ビデオデータのある類型またはこれらの組合に対しても適用が可能である。以後実施形態で詳細に叙述されるが、本発明のデータ構造には、記録媒体に記録される多重再生経路ビデオデータの再生を管理するための経路管理情報及び／またはナビゲーション情報が含まれる。
【００３２】
図２によるデータ構造で使われる再生経路管理情報に関する第１実施形態を図４を参照して説明する。この実施形態によれば、多重再生経路データは複数のクリップファイルに記録されて各クリップファイルは、この再生経路のうちいずれか一つと連係される。この実施形態でこのクリップファイルはこの記録媒体にインターリーブ（Ｉｎｔｅｒｌｅａｖｅ）されない状態で記録される。図４では本発明のこの実施形態にしたがって再生経路に該当するクリップファイルを図示している。図示したように、このクリップファイルは複数のエントリーポイント（ＥＰ）に分けられてあって、この複数のエントリーポイントは連係するクリップ情報ファイルのＥＰマップで参照される。連続されるエントリーポイントは一つのクリップＡ／Ｖストリームファイルの境界を定めて、各エントリーポイントは、例えば図４で図示したＪＵ＃１、ＪＵ＃２、及びＪＵ＃３のようなジャンピングユニット（Ｊｕｍｐｉｎｇ  Ｕｎｉｔ）である。再生する間、ジャンピングユニット基準（例えば、一つのエントリーポイント基準）で再生経路間の経路変更が行われる。すなわち、ユーザーから再生経路変更要請を受ければ、現在再生されているジャンピングユニットをすべて再生した後、新しく要求された再生経路と連係されるクリップファイル内のジャンピングユニットのはじめから再生を続ける。
【００３３】
このような方法で、エントリーポイント間の境界が再生経路間の経路変更がどこで許されるかを定める。
【００３４】
第２ジャンピングユニットＪＵ＃２を構成するデータの端に関して図４に示すように、各ジャンピングユニットのエントリーポイント内のビデオデータの最終ピクチャー（Ｐｉｃｔｕｒｅ）はＰ−ｐｉｃｔｕｒｅやＢ−ｐｉｃｔｕｒｅで制限される。そして、もしもこの最終ピクチャーがＢ−ｐｉｃｔｕｒｅならば、この最終ピクチャーは次にくるエントリーポイント内に含まれた次のＩ−ｐｉｃｔｕｒｅを参照しなくて前のＰ−ｐｉｃｔｕｒｅを参照するように制限される。
【００３５】
また、このエントリーポイントに該当するビデオデータに連係されるオーディオデータのような補助（Ａｕｘｉｌｉａｒｙ）データはこのビデオデータと多重化された状態で記録される。この場合、高い記録ビットレートのビデオデータなく、低い記録ビットレートのこのオーディオデータのみをこのエントリーポイントの後端に記録する。このような理由で、記録ビットレートの帯域幅損失が発生する。
【００３６】
第２ジャンピングユニットＪＵ＃２を構成するエントリーポイントの先頭に関して図４に示したように、エントリーポイント内のビデオデータの第１ピクチャーはＩ−ｐｉｃｔｕｒｅやＢ−ｐｉｃｔｕｒｅで制限される。そして、もしもこの第１ピクチャーがＢ−ｐｉｃｔｕｒｅならば、この第１ピクチャーは前のエントリーポイント内に含まれたＰ−ｐｉｃｔｕｒｅを参照しなくて次にくるＩ−ｐｉｃｔｕｒｅを参照するように制限される。この場合、このエントリーポイントのＧＯＰ（Ｇｒｏｕｐ  Ｏｆ  Ｐｉｃｔｕｒｅ）ヘッダーには“Ｃｌｏｓｅｄ_ｇｏｐ＝１”が記録されて、このエントリーポイントが’ＣｌｏｓｅｄＧＯＰ’でスタートすることを指し示す。
【００３７】
また、エントリーポイントの先頭に該当するビデオデータに連係されるオーディオデータのような補助データはこのビデオデータと多重化された状態で記録される。この場合、低いビットレートのオーディオデータなく、高い記録ビットレートのこのビデオデータのみをこのエントリーポイントの先頭に記録する。このような理由で、記録ビットレートの帯域幅損失が一部発生する。
【００３８】
図５では再生経路変更が実行される本発明による実施形態を図示している。図５では、図４を参照にして説明したことと等しいフォーマットを有する複数のクリップファイルを図示している。図４に示したように、各クリップファイルは他の再生経路と連係される。図５に示したように、各クリップファイルは複数個のジャンピングユニットに分けられ、各ジャンピングユニットは一つのエントリーポイントで構成される。各エントリーポイントの時間長さ（Ｔｉｍｅ  Ｌｅｎｇｔｈ）は可変的である。したがって、各ジャンピングユニットの時間長さも可変的である。しかし、他の実施形態では、各エントリーポイントの時間長さは同じ値で固定されることができる。特に、図５で、第１経路ないし第ｋ経路Ｐａｔｈ  ＃１〜Ｐａｔｈ  ＃ｋにそれぞれ該当する第１クリップファイルないし第ｋクリップファイルＣｌｉｐ  ｆｉｌｅ  ＃１〜Ｃｌｉｐ  ｆｉｌｅ  ＃ｋは第１ジャンピングユニットないし第４ジャンピングユニットＪＵ  ＃１〜ＪＵ  ＃４に分けられる。各ジャンピングユニットは等しくて固定された長さを有するように図示しているが、本発明はこれに限定されない。
【００３９】
図５に示すように、例えば第２経路に該当する第２クリップファイル内の第２ジャンピングユニットＪＰ  ＃２を再生する途中特定経路への経路変更が要求される時、この第２ジャンピングユニットがすべて再生される。この第２ジャンピングユニットＪＵ  ＃２の再生が終わった後、再生が要求された特定経路、例えば第ｋ経路のクリップファイルの次のエントリーポイントの先頭が検索される。言い換えると、この実施形態では、第ｋクリップファイルの第３ジャンピングユニットＪＵ  ＃３が置かれている。この第ｋ経路に該当するクリップファイルに移動して、第３ジャンピングユニットＪＵ  ＃３を構成するエントリーポイントから連続的に再生される。
【００４０】
このように、第２経路のデータストリームと第ｋ経路のデータストリームが連続的に再生される。特に、再生経路を変更する時止まらない再生が可能である。
【００４１】
図６では再生経路変更が実行される本発明による実施形態を図示している。図６に示すように、各クリップファイル、例えば第１経路に該当する第１クリップファイルＣｌｉｐ  ｆｉｌｅ  ＃１はそれぞれ一つのエントリーポイントが含まれた複数のジャンピングユニットＪＵ  ＃１、ＪＵ  ＃２、ＪＵ  ＃３等に区分されて管理される。
【００４２】
この実施形態で、ジャンピングユニットの後端部分に該当するビデオデータと関連するオーディオデータは次のジャンピングユニットの先頭部分に該当するビデオデータと多重化されて記録される。例えば、第１ジャンピングユニットＪＵ  ＃１の後端部分に該当するオーディオデータは第２ジャンピングユニットＪＵ  ＃２の先頭部分に該当するビデオデータと多重化される。
【００４３】
この場合、高い記録ビットレートのビデオデータを記録しないで低い記録ビットレートのオーディオデータのみを記録することによって発生する記録ビットレートの帯域幅損失を效率的に防止することができる。
【００４４】
例えば、第１クリップファイル内の第１ジャンピングユニットＪＰ  ＃１を再生する途中特定経路への経路変更が要求される時、第１ジャンピングユニットＪＰ  ＃１に含まれたビデオデータとオーディオデータがすべて再生される。以後、第１ジャンピングユニットＪＰ  ＃１の後端部分に該当するビデオデータと関連して第２ジャンピングユニットＪＰ  ＃２の先頭部分に該当するビデオデータと多重化されたオーディオデータだけが選択的に再生される。
【００４５】
例えば、光ディスク装置では第２ジャンピングユニットＪＰ  ＃２の先頭部分に該当するビデオデータと共に読み出すオーディオデータのソースパケット番号オーディオエンド情報（ＳＰＮ_ＡＥ：Ｓｏｕｒｃｅ  Ｐａｃｋｅｔ  Ｎｕｍｂｅｒ  Ａｕｄｉｏ  Ｅｎｄ）を確認する。このＳＰＮ_ＡＥは、これの管理のために、関連するクリップファイルに該当するクリップ情報ファイルまたは再生リストファイルに記録される。
【００４６】
オーディオデータのエンドを示すオーディオエンド情報が確認されるまで、第２ジャンピングユニットＪＰ  ＃２の先頭部分に該当するビデオデータと共に読み出すオーディオデータだけの選択的な再生は続く。この選択的な再生が終わった後、経路変更に対するジャンピング動作が実行されることができる。
【００４７】
第２ジャンピングユニットＪＰ  ＃２の先頭部分にビデオデータと共に記録されるオーディオデータのプレゼンテーションタイムスタンプＰＴＳｓが第１ジャンピングユニットＪＰ  ＃１の後端部分に記録されるビデオデータのプレゼンテーションタイムスタンプと一致するように、プレゼンテーションタイムスタンプが記録されて、相互に連係するビデオデータとオーディオデータが連続的に再生されることができる。
【００４８】
本発明の他の実施形態では、各クリップファイルと連係されるクリップ情報ファイル内のエントリーポイントマップ（ＥＰ  ｍａｐ）には各エントリーポイントと連係されるジャンピングフラッグ（Ｊ_Ｆｌａｇ）が含まれる。各ジャンピングフラッグは他の再生経路への経路変更が許されるのか否かを指し示して、このジャンピングフラッグはクリップファイル内でエントリーポイントと関連してジャンプが起こる地点を内包する。
【００４９】
本発明による実施形態を具体的によく見れば、ジャンピングフラッグ“Ｊ_Ｆｌａｇ＝１”、すなわち活性ジャンピングフラッグ（Ａｃｔｉｖｅ  Ｊｕｍｐｉｎｇ  Ｆｌａｇ）は他の再生経路と連係されるクリップファイルを再生するための経路変更が許されることを指し示して、ジャンピングフラッグ“Ｊ_Ｆｌａｇ＝０”、すなわち非活性ジャンピングフラッグ（Ｉｎａｃｔｉｖｅ  Ｊｕｍｐｉｎｇ  Ｆｌａｇ）は経路変更が許されないことを指し示す。また、ジャンピングフラッグが経路変更を許すことを指し示す時、このジャンピングフラッグはこのジャンピングフラッグと連係されるエントリーポイントの再生を終えた後経路変更が許されることを内包する。他の実施形態で、このジャンピングフラッグはこのジャンピングフラッグと連係されるエントリーポイントの再生前に経路変更が許されることを指し示す。
【００５０】
図４ないし図６に図示したエントリーポイントに対するジャンピングフラッグそれぞれはジャンピングが許されるように設定されている。
【００５１】
図８は、本発明による光ディスク記録及び再生装置に対する構成を示したものである。Ａ／Ｖエンコーダー９は、オーディオビデオデータを入力受けてエンコーディングして、コーディング情報とストリーム特性情報と共に多重化装置（Ｍｕｌｔｉｐｌｅｘｅｒ、８）に出力する。多重化装置８は、例えば、ＭＰＥＧ−２伝送ストリーム（ＭＰＥＧ−２  ｔｒａｎｓｐｏｒｔ  ｓｔｒｅａｍ）を作るために、この入力されるコーディング情報とストリーム特性情報を基礎にしてエンコーディングされたオーディオビデオデータを多重化する。ソース・パケッタイザー（Ｓｏｕｒｃｅ  ｐａｃｋｅｔｉｚｅｒ、７）はこの多重化装置から入力される伝送パケットを光ディスクのオーディオビデオフォーマットに合うソースパケットでパケット化する。図７に示したように、このＡ／Ｖエンコーダー９、この多重化装置８、そしてこのソース・パケッタイザー７の動作は制御器１０により操縦される。この制御器１０がユーザーから記録命令を受信すれば、このＡ／Ｖエンコーダー９、この多重化装置８、そしてこのソース・パケッタイザー７に制御情報を送る。例えば、この制御器１０は、このＡ／Ｖエンコーダー９に実行するエンコーディング類型を指示し、この多重化装置８に作りだす伝送ストリームを指示し、およびこのソース・パケッタイザー７にソースパケットのフォーマットを指示する。また、この制御器１０は光ディスクにこのソース・パケッタイザー７の出力を記録できるように駆動器３を制御する。
【００５２】
また、この制御器１０は光ディスクに記録されているオーディオビデオデータの再生を管理するためのナビゲーション（Ｎａｖｉｇａｔｉｏｎ）管理情報を作りだす。例えば、ユーザーとのインターフェース（ディスクに格納されていたりイントラネットまたはインターネットを介して提供したりする命令語）を介して受けた情報を基礎にして、この制御器１０はこの光ディスクに図２、及び図４、図５または図６のデータ構造を記録するように駆動器３を制御する。
【００５３】
再生する期間において、制御器１０はデータ構造を再生するように駆動器３を制御する。すなわち、ディスクに含まれた情報とユーザーインターフェース（記録及び再生装置の操作ボタンまたはこの装置と関連した遠隔操縦）を介して受けたユーザー入力を基礎にして、制御器１０はこの光ディスクからオーディオビデオソースパケットを再生するように駆動器３を制御する。例えば、このユーザー入力は再生する経路を指定できる。このようなユーザー入力は、例えば、制御器１０にあらかじめプログラムされたＧＵＩ（Ｇｒａｐｈｉｃａｌ  Ｕｓｅｒ  Ｉｎｔｅｒｆａｃｅ）基盤のメニューを介して、指定されることができる。このユーザー入力と光ディスクから読み出す経路管理または変更情報を利用して、制御器１０は、本発明の実施形態に対して前で詳細に説明したように、この指定された経路の再生または指定された経路再生の変更を制御する。
【００５４】
ソース・デパケッタイザー（Ｓｏｕｒｃｅ  Ｄｅｐａｃｋｅｔｉｚｅｒ）４は再生されたソースパケットを入力受けてＭＰＥＧ−２伝送パケットストリームのようなデータストリームに転換する。多重分離装置（Ｄｅｍｕｌｔｉｐｌｅｘｅｒ）５はこのデータストリームをエンコーディングされたビデオオーディオデータに逆多重化する。Ａ／Ｖデコーダー６はエンコーディングされたビデオオーディオデータをデコーディングして元来のビデオオーディオデータに作る。再生している期間、ソース・デパケッタイザー４、多重分離装置５、そしてＡ／Ｖデコーダー６の動作はこの制御器１０により制御される。この制御器１０がユーザーから再生命令を受信すれば、ソース・デパケッタイザー４、多重分離装置５、そしてＡ／Ｖデコーダー６に制御情報を送る。例えば、制御器１０は、このソース・デパケッタイザー４にソースパケットのフォーマットを指示して、多重化装置５に逆多重化する伝送ストリームを指示して、そしてＡ／Ｖデコーダー６に実行するデコーディング類型を指示する。
【００５５】
図７には記録と再生装置に関して図示しているが、図７の構成要素一部だけで記録動作または再生作動だけ提供する専用記録装置または専用再生装置も可能である。
【００５６】
したがって、このように構成される本発明は、ユーザーが選択した経路のデータストリームに迅速で正確にジャンプして再生することができるようにして多重経路データストリームの記録効率の低下を最小にする高密度光ディスクに対する多重再生経路データストリーム管理方法を提供する。
【００５７】
また、このように構成される本発明は、多重再生経路を基盤にしてビデオデータのナビゲーション再生を管理及び／または制御することができるようにすることによって、従来の方法に比べてさらに柔軟にビデオデータを再生することができるようになる。
【００５８】
以上、前述した本発明の望ましい実施形態は例示の目的のために開示されたものであって、このＢＤ−ＲＯＭ以外の他の光ディスクにも拡大適用が可能であり、また当業者ならば特許請求の範囲に開示された本発明の技術的思想とその技術的範囲内において、多様な他の実施形態を改良、変更、代替または付加などが可能である。
【図面の簡単な説明】
【００５９】
【図１】再記録可能ブルーレイディスク（ＢＤ−ＲＥ）の規格による再記録可能光ディスクのファイルまたはデータ構造を示すものである。
【図２】本発明による記録媒体のファイルまたはデータ構造に対する実施形態を示すものである。
【図３】図２のデータ構造を有する記録媒体に対する実施形態を示すものである。
【図４】図２のデータ構造で使われる再生経路管理と連係されるデータ構造に対する実施形態を示すものである。
【図５】図２のデータ構造で使われる再生経路管理と連係されるデータ構造に対する実施形態を示すものである。
【図６】図２のデータ構造で使われる再生経路管理と連係されるデータ構造に対する実施形態を示すものである。
【図７】本発明による光ディスク記録及び再生装置に対する構成を示すものである。
【図１】
2006506764.tif 000003
【図２】
2006506764.tif 000004
【図３】
2006506764.tif 000005
【図４】
2006506764.tif 000006
【図５】
2006506764.tif 000007
【図６】
2006506764.tif 000008
【図７】
2006506764.tif 000009
【国際調査報告】
2006506764.tif 000010
2006506764.tif 000011